(57)【要約】【課題】高精細化した場合でも放電遅れが小さく書込み特性が良好なプラズマディスプレイパネルを提供する。【解決手段】前面基板２１上に２本ずつ交互に配置された走査電極２２および維持電極２３と、隣り合う２本の走査電極２２の間に延びる１本の電極が一方の走査電極２２に電気的に接続された走査補助電極２２ｂ’と、それらを覆う前面板誘電体層２４と、前面板誘電体層２４上に走査電極２２に平行に配置された２本のプライミング主電極とそれらを互いに電気的に接続する複数のプライミング補助電極とによって梯子状に形成されたプライミング電極３６と、背面基板３１上に形成されたデータ電極３２と、走査電極２２および維持電極２３とデータ電極３２とで構成される主放電セル４０と走査電極２２とプライミング電極３６とで構成されるプライミング放電セル４１ａとを区画する隔壁３４とを備える。【選択図】図１
2006059631.tif 000002
【特許請求の範囲】
【請求項１】
第１の基板上に２本ずつ交互にかつ互いに平行となるように配置された複数の第１電極および複数の第２電極と、
隣り合う２本の前記第１電極の間に配置され、一方の前記第１電極に電気的に接続されて形成された第１補助電極と、
前記第１電極および前記第１補助電極と前記第２電極とを覆う誘電体層と、
前記誘電体層上に前記第１電極と平行に配置され、前記第１補助電極との間で放電を生じさせる複数の第４電極と、
前記第１の基板に放電空間を挟んで対向配置される第２の基板上に前記第１電極および前記第２電極と直交する方向に配置された複数の第３電極と、
前記第２の基板上に、前記第１電極および前記第２電極と前記第３電極とで形成される複数の主放電セルと、前記第１補助電極と前記第４電極とで形成される複数のプライミング放電セルとを区画するように形成され、前記第１電極および前記第２電極と直交する方向に延びる縦隔壁と前記縦隔壁に交差する方向に延びる横隔壁とで構成された隔壁と、
を有することを特徴とするプラズマディスプレイパネル。
【請求項２】
前記第４電極は、前記第１電極と平行に延びる２本の第４主電極と前記２本の第４主電極の間に前記第１電極と直交する方向に配置され前記２本の第４主電極を互いに電気的に接続する複数の第４補助電極とによって梯子状に形成されたことを特徴とする請求項１記載のプラズマディスプレイパネル。
【請求項３】
前記第４電極は、前記第１電極と平行に延びる第４主電極と前記第４主電極から前記第１補助電極側に前記第１電極と直交する方向に突出した複数の第４補助電極とによって櫛状に形成されたことを特徴とする請求項１記載のプラズマディスプレイパネル。
【請求項４】
前記第４電極は、前記第４補助電極が前記縦隔壁と同じ配置間隔となるように配置されて形成されたことを特徴とする請求項２または請求項３に記載のプラズマディスプレイパネル。
【請求項５】
前記第４電極は、前記第４補助電極の伸延方向に延長される直線が前記主放電セルの略中央を通るように配置されて形成されたことを特徴とする請求項２または請求項３に記載のプラズマディスプレイパネル。
【請求項６】
前記第１補助電極は、隣り合う２本の前記第１電極の間に前記第１電極と平行に延びる１本の電極が配置されその電極が隣り合う２本の前記第１電極の一方に電気的に接続されて形成されたことを特徴とする請求項１から請求項５のいずれかに記載のプラズマディスプレイパネル。
【請求項７】
隣り合う２本の前記第１電極の一方の前記第１電極は、他方の前記第１電極に向かって前記第１電極と直交する方向に突出して形成された複数の前記第１補助電極によって櫛状に形成されたことを特徴とする請求項１から請求項３のいずれかに記載のプラズマディスプレイパネル。
【請求項８】
前記第１補助電極は、前記誘電体層を挟んで前記第４電極と対向する部分とそれ以外の部分とで異なる幅を有することを特徴とする請求項６または請求項７に記載のプラズマディスプレイパネル。
【請求項９】
前記プライミング放電セルにおいて、放電空間の前記第２の基板側に、アルカリ金属の酸化物、アルカリ土類金属の酸化物、希土類酸化物、弗化物の少なくともいずれかを含む保護層を設けたことを特徴とする請求項１から請求項８のいずれかに記載のプラズマディスプレイパネル。
【請求項１０】
前記保護層が酸化マグネシウムを主成分とする材料によって形成されていることを特徴とする請求項９記載のプラズマディスプレイパネル。
【請求項１１】
前記プライミング放電セルにおいて、放電空間の前記第２の基板側に、（Ｌａ，Ｍ１）Ｍ２Ｏ３（ただし、Ｍ１はＢａまたはＳｒであり、Ｍ２はＣｏ、Ｎｉ、Ｆｅ、Ｍｎの中から選ばれるものである）であらわされるペロブスカイト型構造をもち、（Ｌａ，Ｍ１）／Ｍ２の比率を１よりも大きくした材料、または（Ｌａ，Ｍ１）２Ｍ３Ｏ４（ただし、Ｍ１はＢａまたはＳｒであり、Ｍ３はＣｕまたはＮｉである）であらわされるＫ２ＮｉＦ４型構造をもち、（Ｌａ，Ｍ１）／Ｍ３の比率を１よりも大きくした材料のいずれかを材料に含む保護層を設けたことを特徴とする請求項１から請求項８のいずれかに記載のプラズマディスプレイパネル。
【発明の詳細な説明】
【技術分野】
【０００１】
本発明は、壁掛けテレビや大型モニターに用いられるプラズマディスプレイパネルに関する。
【背景技術】
【０００２】
ＡＣ型として代表的な交流面放電型プラズマディスプレイパネル（以下、ＰＤＰと呼ぶ）は、面放電を行う走査電極および維持電極を互いに平行に配列して形成したガラス基板からなる前面板と、データ電極を配列して形成したガラス基板からなる背面板とにより構成されている。走査電極および維持電極とデータ電極とがマトリックスを組むように、しかも間隙に放電空間を形成するように前面板と背面板とを対向配置し、その外周部をガラスフリット等の封着材によって封着している。前面板と背面板との間には、隔壁によって区画された放電セルが設けられ、この隔壁間の放電セルに蛍光体層を形成している。このような構成のＰＤＰにおいては、ガス放電により紫外線を発生させ、この紫外線でＲ、Ｇ、Ｂの各色の蛍光体を励起して発光させることによりカラー表示を行っている。
【０００３】
ＰＤＰは、１フィールド期間を複数のサブフィールドに分割し、発光させるサブフィールドを組み合わせて駆動することで階調表示を行う。各サブフィールドは少なくとも初期化期間、書込み期間および維持期間を有し、画像データを表示するために、初期化期間、書込み期間および維持期間においてそれぞれ異なる駆動波形を各電極に印加している。
【０００４】
初期化期間には、例えば、正のパルス電圧をすべての走査電極に印加し、走査電極および維持電極を覆う誘電体層上の保護膜および蛍光体層上に必要な壁電荷を蓄積する。
【０００５】
書込み期間では、すべての走査電極に順次負の走査パルスを印加することにより、走査電極を走査する。表示データがある場合、走査電極を走査している書込み期間に、データ電極に正の書込みパルスを印加すると、走査電極とデータ電極との間で放電が起こり、走査電極上の保護膜の表面に壁電荷が形成される。
【０００６】
続く維持期間では、一定の期間、走査電極と維持電極との間に放電を維持するのに十分な電圧を印加する。これにより、走査電極と維持電極との間に放電が発生し、一定の期間、蛍光体層を励起発光させる。書込み期間にデータパルスが印加されなかった放電空間では、放電は発生せず蛍光体層の励起発光は起こらない。これにより、それぞれの放電セルを発光、非発光に制御して画像を表示する。
【０００７】
ところが、このようなＰＤＰでは、書込み期間の放電に大きな放電遅れが発生して書込み動作が不安定になったり、あるいは書込み動作を完全に行うために書込み時間を長く設定して書込み期間に費やす時間が大きくなり過ぎるといった課題があった。
【０００８】
これらの課題を解決するために、前面板上に走査電極に隣接して走査電極と平行に補助放電電極を設け前面板側の面内補助放電によってプライミング放電を発生させることで放電遅れを小さくするＰＤＰとその駆動方法が提案されている（例えば、特許文献１）。
【特許文献１】特開２００２−２９７０９１号公報
【発明の開示】
【発明が解決しようとする課題】
【０００９】
しかしながら、上述した従来例によるＰＤＰにおいて安定してプライミング放電を発生させるためには、走査電極と補助放電電極との間にある程度の電極間距離が必要である。プライミング放電セルを小さくするためにこの電極間距離を小さくすると、プライミング放電を安定して発生させることが難しくなり、書込み特性を安定化させることが難しくなる。また、プライミング放電セルを小さくできないと、ＰＤＰが高精細化してライン数が増えたときに、発光のための放電セルの個々の面積が小さくなり、輝度の確保が難しい。
【００１０】
本発明は、上述した課題に鑑みなされたものであり、高精細化した場合でも書込み特性を安定化させることができるＰＤＰを提供することを目的とする。
【課題を解決するための手段】
【００１１】
このような目的を達成するために、本発明のＰＤＰは、第１の基板上に２本ずつ交互にかつ互いに平行となるように配置された複数の第１電極および複数の第２電極と、隣り合う２本の第１電極の間に配置され、一方の第１電極に電気的に接続されて形成された第１補助電極と、第１電極および第１補助電極と第２電極とを覆う誘電体層と、誘電体層上に第１電極と平行に配置され、第１補助電極との間で放電を生じさせる複数の第４電極と、第１の基板に放電空間を挟んで対向配置される第２の基板上に第１電極および第２電極と直交する方向に配置された複数の第３電極と、第２の基板上に、第１電極および第２電極と第３電極とで形成される複数の主放電セルと、第１補助電極と第４電極とで形成される複数のプライミング放電セルとを区画するように形成され、第１電極および第２電極と直交する方向に延びる縦隔壁と縦隔壁に交差する方向に延びる横隔壁とで構成された隔壁と、を有することを特徴とする。
【００１２】
この構成により、安定してプライミング放電を発生させることができ、プライミング放電によって書込み放電を安定して発生させることができる。さらに、第１の電極に電気的に接続された第１補助電極と第４電極との間でプライミング放電を行うため、プライミング放電セルを小さくすることができるので、高精細化した場合でも、書込み特性に優れ、パネル輝度の向上したＰＤＰを実現することができる。
【００１３】
また、第４電極は、第１電極と平行に延びる２本の第４主電極と２本の第４主電極の間に第１電極と直交する方向に配置され２本の第４主電極を互いに電気的に接続する複数の第４補助電極とによって梯子状に形成されてもよい。このような構成によれば、第１補助電極と第４補助電極との間でプライミング放電セルの長手方向に沿ってプライミング放電を発生させることができるので、さらにプライミング放電セルを小さくすることができる。さらに、２本の第４主電極のうち一方の第４主電極が断線した場合でも、他方の第４主電極に断線が発生していなければ、プライミング動作を継続して行うことができる。
【００１４】
また、第４電極は、第１電極と平行に延びる第４主電極と第４主電極から第１補助電極側に第１電極と直交する方向に突出した複数の第４補助電極とによって櫛状に形成されてもよい。このような構成によっても、第１補助電極と第４補助電極との間でプライミング放電セルの長手方向に沿ってプライミング放電を発生させることができるので、さらにプライミング放電のための領域を小さくすることができる。
【００１５】
また、第４電極は、第４補助電極が縦隔壁と同じ配置間隔となるように配置されて形成されてもよい。このような構成によれば、主放電セルに隣接した領域でプライミング放電を発生させることができるので、より確実にプライミング粒子を主放電セルに供給することができ、安定して書込み放電を発生させることができる。
【００１６】
また、第４電極は、第４補助電極の伸延方向に延長される直線が主放電セルの略中央を通るように配置されて形成されてもよい。このような構成によれば、主放電セルを区画する縦隔壁に隣接した位置でプライミング放電を発生させることができるので、主放電セルに飛散するプライミング粒子を制限することができ、プライミングに必要な粒子以上のプライミング粒子が供給されることを防止して、クロストークを抑制することができる。
【００１７】
また、第１補助電極は、隣り合う２本の第１電極の間に第１電極と平行に延びる１本の電極が配置されその電極が隣り合う２本の第１電極の一方に電気的に接続されて形成されてもよい。このような構成によれば、第１補助電極と第４補助電極との間でプライミング放電セルの長手方向に沿ってプライミング放電を発生させることができるので、プライミング放電のための領域を小さくすることができ、さらに、プライミング放電のための第１補助電極の電極面を大きくすることができるので、効率的にプライミング放電を発生させることができる。
【００１８】
また、隣り合う２本の第１電極の一方の第１電極は、他方の第１電極に向かって第１電極と直交する方向に突出して形成された複数の第１補助電極によって櫛状に形成されてもよい。このような構成によれば、第１補助電極と第４補助電極との間でプライミング放電セルの長手方向に沿ってプライミング放電を発生させることができるので、プライミング放電のための領域を小さくすることができ、さらに、第１の電極と第４電極との間の寄生容量を低減することができるので、効率的にプライミング放電を発生させることができる。
【００１９】
また、第１補助電極は、誘電体層を挟んで第４電極と対向する部分とそれ以外の部分とで異なる幅を有する構成としてもよい。このような構成によれば、第１の電極と第４電極との間の寄生容量をさらに低減することができるので、さらに効率的にプライミング放電を発生させることができる。
【００２０】
また、プライミング放電セルにおいて、放電空間の第２の基板側に、アルカリ金属の酸化物、アルカリ土類金属の酸化物、希土類酸化物、弗化物の少なくともいずれかを含む保護層を設けてもよい。このような構成によれば、２次電子放出係数が大きく耐スパッタ性に優れた材料でプライミング放電セルの第２の基板側を覆うので、プライミング放電の放電発生を均一化できる。
【００２１】
また、保護層が酸化マグネシウムを主成分とする材料によって形成されてもよい。このような構成によれば、酸化マグネシウムを主成分とする材料層が電子放出性能を高めて、安定したプライミング放電を効果的かつ確実に形成することができる。
【００２２】
また、プライミング放電セルにおいて、放電空間の第２の基板側に、（Ｌａ，Ｍ１）Ｍ２Ｏ３（ただし、Ｍ１はＢａまたはＳｒであり、Ｍ２はＣｏ、Ｎｉ、Ｆｅ、Ｍｎの中から選ばれるものである）であらわされるペロブスカイト型構造をもち、（Ｌａ，Ｍ１）／Ｍ２の比率を１よりも大きくした材料、または（Ｌａ，Ｍ１）２Ｍ３Ｏ４（ただし、Ｍ１はＢａまたはＳｒであり、Ｍ３はＣｕまたはＮｉである）であらわされるＫ２ＮｉＦ４型構造をもち、（Ｌａ，Ｍ１）／Ｍ３の比率を１よりも大きくした材料のいずれかを材料に含む保護層を設けてもよい。このような構成によれば、さらに２次電子放出係数が大きい材料でプライミング放電セルの第２の基板側を覆うので、さらにプライミング放電の放電発生を均一化させることができる。
【発明の効果】
【００２３】
本発明によれば、プライミング放電によって書込み放電を安定して発生させることができ、さらにプライミング放電を小さな空間で確実に行えるため、ＰＤＰが高精細化した場合でも書込み時の放電遅れが小さく書込み特性が良好なＰＤＰを提供することができる。
【発明を実施するための最良の形態】
【００２４】
以下、本発明の実施の形態について、図面を参照しながら説明する。
【００２５】
（実施の形態１）
図１は、本発明の実施の形態１におけるＰＤＰ１０の構造を示す分解斜視図である。
【００２６】
図１に示すように、ＰＤＰ１０は第１の基板であるガラス製の前面基板２１等よりなる前面板５０と、第２の基板であるガラス製の背面基板３１等よりなる背面板６０とが放電空間を挟んで対向して配置され、その外周部をガラスフリット（図示せず）等の封着材によって封着している。放電空間には放電によって紫外線を放射する放電ガスとして、ネオン（Ｎｅ）およびキセノン（Ｘｅ）等の混合ガスが封入されている。
【００２７】
前面板５０の前面基板２１上には、第１電極である走査電極２２と第２電極である維持電極２３とが、維持電極２３−走査電極２２−走査電極２２−維持電極２３−・・・となるように２本ずつ交互にかつ互いに平行に対をなして複数形成されている。走査電極２２と維持電極２３とはそれぞれ透明電極２２ａ、２３ａと、透明電極２２ａ、２３ａ上に重なるように形成された金属母線２２ｂ、２３ｂとから構成されている。隣り合う走査電極２２−走査電極２２の間、および維持電極２３−維持電極２３の間には発光時のコントラストを高めるために黒色材料等からなる光吸収層２８が設けられている。
【００２８】
走査電極２２同士が隣り合う光吸収層２８上には、走査電極２２と平行に延びる１本の電極が隣り合う２本の走査電極２２の一方の金属母線２２ｂに電気的に接続されて形成された第１補助電極である走査補助電極２２ｂ’が配置されている。そして、これらの走査電極２２、維持電極２３および光吸収層２８を覆うように鉛−ホウ素（Ｐｂ−Ｂ）系ガラス等からなる前面板誘電体層２４が形成されている。
【００２９】
前面板誘電体層２４上には、第４電極であるプライミング電極３６が走査電極２２と平行に複数形成されている。プライミング電極３６は、後で説明する図２に示すように、第４主電極であるプライミング主電極３６ａと第４補助電極であるプライミング補助電極３６ｂとによって構成され、２本のプライミング主電極３６ａを互いに電気的に接続する複数のプライミング補助電極３６ｂによって梯子状に形成されている。なお、走査電極２２およびプライミング電極３６の構成の詳細については後述する。
【００３０】
そして、プライミング電極３６を覆うように酸化マグネシウム（ＭｇＯ）等からなる前面板側保護層２５が設けられている。
【００３１】
背面板６０の背面基板３１上には、走査電極２２および維持電極２３と交差する方向に、第３電極であるデータ電極３２が複数形成されている。そして、データ電極３２を覆うように背面板誘電体層３３が形成されている。
【００３２】
背面板誘電体層３３上には隔壁３４が形成され、隔壁３４は放電空間を区画して、走査電極２２および維持電極２３とデータ電極３２とを有する複数の主放電セル４０を形成している。隔壁３４は、図１に示すように、データ電極３２と平行な方向に延びる縦隔壁３４ａと、走査電極２２および維持電極２３と平行な方向に延び、主放電セル４０の間に隙間部４１を形成する横隔壁３４ｂとで構成されている。したがって、主放電セル４０は、横隔壁３４ｂと、この横隔壁３４ｂに交差するように設けられた縦隔壁３４ａとにより格子状に形成されている。
【００３３】
隙間部４１は、横隔壁３４ｂによって区画され主放電セル４０と隣接して形成される。また、前面基板２１上には走査電極２２と維持電極２３とが２本ずつ交互に対をなして形成されているので、隙間部４１として、２本の走査電極２２が隣り合う側に位置した走査電極側隙間部４１ａと、２本の維持電極２３が隣り合う側に位置した維持電極側隙間部４１ｂとが形成される。そして、それらは主放電セル４０を挟んで、交互に並んだ構成となる。
【００３４】
さらに、維持電極側隙間部４１ｂにおいて放電の発生はないが、走査電極側隙間部４１ａにおいては、走査電極２２の金属母線２２ｂに電気的に接続されて形成された走査補助電極２２ｂ’とプライミング電極３６との間でプライミング放電が発生する。すなわち、走査電極側隙間部４１ａはプライミング放電セルとしての働きを有する（以下、プライミング放電セル４１ａと表記する）。
【００３５】
また、隔壁３４の頂部は前面基板２１に当接するように平坦に形成されている。これは、隣接する主放電セル４０とプライミング放電セル４１ａとの相互干渉を防ぐためであり、特に、書込み期間において発生するプライミング放電の影響を受けて隣接する主放電セル４０に誤書込みを生じる等の誤動作を防ぐためである。さらには、プライミング放電に伴い、プライミング放電セル４１ａに隣接する主放電セル４０の壁電荷が減少し書込み不良を生じる等の誤動作を防ぐためである。
【００３６】
また、図１に示すように、主放電セル４０には蛍光体層３５がそれぞれの隔壁３４側面と背面板誘電体層３３上に形成されている。蛍光体層３５は背面板６０に設けられたそれぞれのデータ電極３２に対応しており、紫外線によって赤色、青色、緑色に発光する蛍光体層３５が交互に設けられ、同一データ電極３２上に設けられた主放電セル４０には同一色の蛍光体層３５が形成されている。なお、図１ではプライミング放電セル４１ａ側に蛍光体層３５を形成していないが、これは、プライミング放電によって不要な発光が生じないようにするためである。また、上述の説明ではデータ電極３２およびプライミング電極３６を覆うように背面板誘電体層３３が形成されているが、この背面板誘電体層３３は形成しなくてもよい。
【００３７】
ここで、再度、走査電極２２およびプライミング電極３６の構成について図面を用いて説明する。図２は、本発明の実施の形態１におけるＰＤＰ１０の走査電極２２およびプライミング電極３６の構成の一例を示す平面図であり、図３は、同ＰＤＰ１０の断面図である。また、図３において、図３（ａ）は、図２のＡ−Ａ線に沿う断面図であり、図３（ｂ）は、図２のＢ−Ｂ線に沿う断面図である。また、図４は、同ＰＤＰ１０の断面のプライミング放電セル４１ａ部分の拡大図である。
【００３８】
図２に示すように、２本の走査電極２２は隣り合って平行に配置されている。走査電極２２は、主放電セル（図１の主放電セル４０）において発光のための放電を行う透明電極２２ａと、透明電極２２ａに重なるように形成された金属母線２２ｂとから構成されている。金属母線２２ｂの端は、駆動電圧を印加するための走査電極引出し部２２ｄが金属母線２２ｂから延長されて形成されている。そして、図３に示すように、隣り合う走査電極２２−走査電極２２の間には発光時のコントラストを高めるために黒色材料等からなる光吸収層２８が設けられている。さらに、光吸収層２８の上には、走査電極２２と平行に延びる走査補助電極２２ｂ’が配置され、走査補助電極２２ｂ’は一方の金属母線２２ｂに走査電極接続部２２ｃによって電気的に接続されて形成されている。このように走査補助電極２２ｂ’を形成することで、プライミング放電を発生させる電極面をできるだけ大きくとれるようにしている。プライミング放電を発生させる電極面が大きければ、効率的に放電を発生させることができる。そして、透明電極２２ａ、金属母線２２ｂおよび走査補助電極２２ｂ’を覆うように鉛−ホウ素（Ｐｂ−Ｂ）系ガラス等からなる前面板誘電体層２４が形成されている。
【００３９】
前面板誘電体層２４上には、プライミング電極３６が走査電極２２と平行に形成されている。プライミング電極３６は、図２に示すように、２本のプライミング主電極３６ａが走査電極２２と平行に延びて配置され、その２本のプライミング主電極３６ａを互いに電気的に接続する複数のプライミング補助電極３６ｂが２本のプライミング主電極３６ａの間に走査電極２２と交差する方向に等間隔に配置されて形成されている。したがって本発明の実施の形態１において、プライミング電極３６は、図２を用いて先に説明したように梯子状に形成されている。そして、走査補助電極２２ｂ’とプライミング主電極３６ａおよびプライミング補助電極３６ｂとの間でプライミング放電を発生させることができるように構成されている。また、プライミング電極３６の端は、駆動電圧を印加するためのプライミング電極引出し部３６ｄがプライミング主電極３６ａから延長されて形成されている。
【００４０】
また、図３に示すように、金属母線２２ｂは、横隔壁３４ｂの上方に配置されている。したがって、プライミング主電極３６ａと金属母線２２ｂとの間の放電空間が横隔壁３４ｂによって遮られるため、プライミング主電極３６ａと金属母線２２ｂとの間には放電が発生しにくい構造となっている。
【００４１】
また、図２および図４に示すように、金属母線２２ｂおよび走査補助電極２２ｂ’とプライミング主電極３６ａとの間に対向する領域が形成されないようにそれぞれを配置している。これは、プライミング電極３６と走査電極２２との間に発生する寄生容量をできるだけ小さくするためであり、また電極同士が対向する領域が形成されることによってプライミング放電の発生が妨げられることを防止するためである。
【００４２】
次に、プライミング電極３６と走査電極２２との間に発生させるプライミング放電について説明する。図５は、本発明の実施の形態１におけるＰＤＰ１０の図４のＣ−Ｃ線に沿う断面図であり、図６は、同ＰＤＰ１０のプライミング電極３６と走査補助電極２２ｂ’との関係を示す斜視図である。
【００４３】
図５、図６に示すように、本発明の実施の形態１においては、走査補助電極２２ｂ’とプライミング補助電極３６ｂとが前面板誘電体層２４を挟んで交差するように配置されている。したがって図中の矢印で示すように、走査補助電極２２ｂ’とプライミング補助電極３６ｂとの間に、プライミング放電セル４１ａの長手方向に沿ってプライミング放電を発生させることができる。従来技術のように前面板上に走査電極に隣接して走査電極と平行にプライミング電極を設け、走査電極とプライミング電極との間に走査電極と交差する方向にだけプライミング放電を発生させる構成の場合には、安定したプライミング放電を発生させるために所定の電極間距離が必要となる。しかし、本発明の実施の形態１に示す構成では、走査補助電極２２ｂ’とプライミング補助電極３６ｂとの間でプライミング放電セルの長手方向に、すなわち走査電極２２と平行にプライミング放電を発生させることができるので、プライミング放電に必要な領域を従来例と比較して小さくすることができる。
【００４４】
したがって、全放電領域に占めるプライミング放電に必要な領域を小さくして主放電セルの面積を大きくすることができるので、ＰＤＰを高精細化した場合でも、書込み特性に優れ、パネル輝度も向上したＰＤＰを実現することができる。さらに、図３を用いて説明したように、プライミング主電極３６ａと金属母線２２ｂとの間に放電が発生しにくい構造であるので、走査補助電極２２ｂ’とプライミング補助電極３６ｂとの間で安定してプライミング放電を発生させることができる。さらに、従来技術では走査電極と交差する方向にだけプライミング放電を発生させる構成であったので、主放電セルに向かってプライミング放電が発生し、主放電セルへプライミングに必要な粒子以上のプライミング粒子が供給されやすく、クロストークが発生しやすかった。しかし、本発明の実施の形態１では、プライミング放電がプライミング放電セル４１ａの長手方向、すなわち主放電セル４０と平行にも発生させているので、隣接する主放電セル４０へプライミングに必要な粒子以上のプライミング粒子が供給されることを防止して、クロストークを抑制することができる。
【００４５】
さらに、隣接した走査補助電極２２ｂ’とプライミング主電極３６ａおよびプライミング補助電極３６ｂとの間でプライミング放電を発生させるので、書込み時の放電空間を挟んでの対向放電と比較して放電が発生しやすい構造となっており、放電遅れが小さく速い安定したプライミング放電を発生させることができる。
【００４６】
次に、ＰＤＰ１０の電極配列およびＰＤＰ１０を駆動するための駆動波形とそのタイミングについて、ＰＤＰ１０の動作とともに説明する。
【００４７】
図７は、本発明の実施の形態１におけるＰＤＰ１０の電極配列図である。列方向にｍ列のデータ電極Ｄ１〜Ｄｍ（図１のデータ電極３２）が配列され、行方向にｎ行の走査電極ＳＣ１〜ＳＣｎ（図１の走査電極２２）とｎ行の維持電極ＳＵ１〜ＳＵｎ（図１の維持電極２３）とが維持電極ＳＵ１−走査電極ＳＣ１−走査電極ＳＣ２−維持電極ＳＵ２−・・・となるように２本ずつ交互に配列されている。そして、本発明の実施の形態１においては、走査電極ＳＣ１〜ＳＣｎに平行に配列された２本の電極（図２のプライミング主電極３６ａ）とその２本の電極の間に走査電極と直交する方向に配置されその２本の電極を互いに電気的に接続する接続部（図２のプライミング補助電極３６ｂ）とによって梯子状に形成されたプライミング電極ＰＲ１〜ＰＲｎ−１と、隣り合う２本の走査電極の間に平行に延び奇数行目の走査電極ＳＣ１、ＳＣ３、・・・にそれぞれ電気的に接続されて形成された補助電極（図１の走査補助電極２２ｂ’）とが対向する領域を有するように配列されている。
【００４８】
そして、一対の走査電極ＳＣｉ、維持電極ＳＵｉ（ｉ＝１〜ｎ）と１つのデータ電極Ｄｊ（ｊ＝１〜ｍ）（図１のデータ電極３２）とを含む放電セルＣｉ，ｊ（図１の主放電セル４０）が放電空間内に形成される。このとき放電セルＣの総数はｍ×ｎ個になる。また１〜ｎ行のうちの奇数行に走査電極ＳＣｉの走査補助電極２２ｂ’とプライミング電極ＰＲ１〜ＰＲｎ−１とを含むプライミング放電セルＰＳｉ（図１のプライミング放電セル４１ａ）が形成され、プライミング放電セルＰＳの総数はｎ／２になる。
【００４９】
このように、本発明の実施の形態１におけるＰＤＰ１０においては、奇数行目の走査電極ＳＣｐ（ｐ＝奇数）は突出部分として走査補助電極２２ｂ’をもち、自己の走査に伴ってプライミング放電を発生させるとともに書込みを行う。一方、偶数行目の走査電極ＳＣｐ＋１は走査補助電極２２ｂ’がなく、自己の走査に伴うプライミング放電を発生させずに書込みを行う。
【００５０】
図８は、本発明の実施の形態１におけるＰＤＰ１０の駆動波形図である。なお、本発明の実施の形態１においては、１フィールド期間を発光期間の重みをもった複数のサブフィールドに分割し、発光させるサブフィールドの組み合わせによって階調表示を行う。また、各サブフィールドは初期化期間、書込み期間、維持期間を有しており、それぞれのサブフィールドは発光期間の重みを変えるため維持期間における維持パルスの数を異ならせている以外はほぼ同様の動作を行う。そして、各サブフィールドにおける動作原理もほぼ同様であるので、ここでは１つのサブフィールドについてのみ動作を説明する。
【００５１】
初期化期間前半部では、データ電極Ｄ１〜Ｄｍ、維持電極ＳＵ１〜ＳＵｎおよびプライミング電極ＰＲ１〜ＰＲｎ−１をそれぞれ０（Ｖ）に保持し、走査電極ＳＣ１〜ＳＣｎには、維持電極ＳＵ１〜ＳＵｎに対して放電開始電圧以下の電圧Ｖｉ１から、放電開始電圧を超える電圧Ｖｉ２に向かって緩やかに上昇する傾斜波形電圧を印加する。この傾斜波形電圧が上昇する間に、走査電極ＳＣ１〜ＳＣｎと維持電極ＳＵ１〜ＳＵｎ、データ電極Ｄ１〜Ｄｍ、プライミング電極ＰＲ１〜ＰＲｎ−１との間でそれぞれ１回目の微弱な初期化放電が起こる。そして、走査電極ＳＣ１〜ＳＣｎ上部に負の壁電圧が蓄積されるとともに、データ電極Ｄ１〜Ｄｍ上部、維持電極ＳＵ１〜ＳＵｎ上部およびプライミング電極ＰＲ１〜ＰＲｎ−１上部には正の壁電圧が蓄積される。ここで、電極上部の壁電圧とは電極を覆う誘電体層上に蓄積された壁電荷により生じる電圧をあらわす。
【００５２】
初期化期間後半部では、維持電極ＳＵ１〜ＳＵｎを正電圧Ｖｅに保ち、走査電極ＳＣ１〜ＳＣｎには、維持電極ＳＵ１〜ＳＵｎに対して放電開始電圧以下となる電圧Ｖｉ３から放電開始電圧を超える電圧Ｖｉ４に向かって緩やかに下降する傾斜波形電圧を印加する。この間に、走査電極ＳＣ１〜ＳＣｎと維持電極ＳＵ１〜ＳＵｎ、データ電極Ｄ１〜Ｄｍ、プライミング電極ＰＲ１〜ＰＲｍとの間でそれぞれ２回目の微弱な初期化放電が起こる。そして、走査電極ＳＣ１〜ＳＣｎ上部の負の壁電圧および維持電極ＳＵ１〜ＳＵｎ上部の正の壁電圧が弱められ、データ電極Ｄ１〜Ｄｍ上部の正の壁電圧は書込み動作に適した値に調整され、プライミング電極ＰＲ１〜ＰＲｎ−１上部の正の壁電圧もプライミング動作に適した値に調整される。以上により初期化動作が終了する。
【００５３】
書込み期間では、走査電極ＳＣ１〜ＳＣｎを一旦電圧Ｖｃに保持する。そして、プライミング電極ＰＲ１〜ＰＲｎ−１に電圧変化分（Ｖｃ−Ｖｉ４）とほぼ等しい電圧Ｖｑを印加する。
【００５４】
まず、奇数行目の放電セルＣｐ，１〜Ｃｐ，ｍの書込み動作では、走査電極ＳＣｐに走査パルス電圧Ｖａを印加するとともに、表示すべき画像信号に対応するデータ電極Ｄｋ（ｋは１〜ｍの整数）に正の書込みパルスＶｄを印加する。奇数行目の走査電極ＳＣｐは自己の走査に伴ってプライミング放電を発生させるとともに書込みを行う走査電極である。したがって、この走査パルス電圧Ｖａの印加により、プライミング放電セルＰＳｐにおいてプライミング電極ＰＲｐと走査電極ＳＣｐとの間でプライミング放電が発生し、放電セルＣｐ，１〜Ｃｐ，ｍと放電セルＣｐ＋１，１〜ＣＰ＋１，ｍとの内部にプライミングが供給される。このときの放電は、上述したようにプライミング放電セルが放電しやすい構造であるため、放電遅れが小さく速い安定したプライミング放電となる。
【００５５】
その後引き続いて書込みパルス電圧を印加したデータ電極Ｄｋに対応する放電セルＣｐ、ｋで書込み放電が発生する。このとき、放電セルＣｐ，ｋの放電は走査電極ＳＣｐとプライミング電極ＰＲｐとの間で発生したプライミング放電からプライミングが供給されつつ発生するので、プライミング放電セルからプライミングの供給が始まるまでの時間遅れはあるものの、プライミング供給後は放電遅れが小さく安定した放電となる。
【００５６】
この書込み放電により放電セルＣｐ，ｋの走査電極ＳＣｐ上部に正電圧が蓄積され、維持電極ＳＵｐ上部に負電圧が蓄積されて、奇数行目の書込み動作が終了する。
【００５７】
次に、偶数行目の放電セルＣｐ＋１，１〜ＣＰ＋１，ｍの書込み動作では、ｐ＋１行目の走査電極ＳＣＰ＋１に走査パルス電圧Ｖａを印加すると同時に、データ電極Ｄ１〜Ｄｍのうちｐ＋１行目に表示すべき画像信号に対応するデータ電極Ｄｋに正の書込みパルス電圧Ｖｄを印加する。これにより、データ電極Ｄｋと走査電極ＳＣＰ＋１との交差部で放電が発生する。このとき、放電セルＣＰ＋１，ｋでは走査電極ＳＣｐとプライミング電極ＰＲｐとの間で発生したプライミング放電から十分なプライミングがすでに供給された状態で放電が発生するので、書込み放電の放電遅れは非常に小さく安定した放電となる。
【００５８】
この書込み放電により放電セルＣｐ＋１，ｋの走査電極ＳＣｐ＋１上部に正電圧が蓄積され、維持電極ＳＵｐ＋１上部に負電圧が蓄積されて、偶数行目の書込み動作が終了する。
【００５９】
以下、同様の書込み動作をｎ行目の放電セルＣｎ，ｋに至るまで行い、書込み動作が終了する。
【００６０】
維持期間では、走査電極ＳＣ１〜ＳＣｎを０（Ｖ）に一旦戻した後、走査電極ＳＣ１〜ＳＣｎに正の維持パルス電圧Ｖｓを印加し、その後、維持電極ＳＵ１〜ＳＵｎを０（Ｖ）に戻す。このとき、書込み放電を起こした放電セルＣｉ，ｊにおける走査電極ＳＣｉ上部と維持電極ＳＵｉ上部との間の電圧は、正の維持パルス電圧Ｖｓに加えて、書込み期間において走査電極ＳＣｉ上部および維持電極ＳＵｉ上部に蓄積された壁電圧が加算されて、放電開始電圧より大きくなり、１回目の維持放電が発生する。１回目の維持放電の後、維持電極ＳＵ１〜ＳＵｎにＶｓを印加し、その後、走査電極ＳＣ１〜ＳＣｎを０（Ｖ）に戻す。このとき、書込み放電を起こした放電セルＣｉ，ｊにおける走査電極ＳＣｉ上部と維持電極ＳＵｉ上部との間の電圧は、正の維持パルス電圧Ｖｓに加えて、書込み期間において走査電極ＳＣｉ上部および維持電極ＳＵｉ上部に蓄積された壁電圧が加算されて、放電開始電圧より大きくなり、２回目の維持放電が発生する。以降同様に、走査電極ＳＣ１〜ＳＣｎと維持電極ＳＵ１〜ＳＵｎとに維持パルスを交互に印加することにより、書込み放電を起こした放電セルＣｉ，ｋに対して維持パルスの回数だけ維持放電が継続して行われる。また、プライミング電極ＰＲ１〜ＰＲｎ−１には走査電極ＳＣ１〜ＳＣｎに印加した駆動電圧と同相の駆動電圧を印加する。本発明の実施の形態１では、プライミング電極ＰＲ１〜ＰＲｎ−１と走査電極ＳＣ１〜ＳＣｎとが前面板誘電体層２４を挟んで配置されているため、走査電極ＳＣ１〜ＳＣｎに駆動電圧を印加する際に発光に寄与することなく消費される無効電力が発生するおそれがある。しかし、走査電極ＳＣ１〜ＳＣｎに印加した駆動電圧と同相の駆動電圧をプライミング電極ＰＲ１〜ＰＲｎ−１に印加することで、この無効電力を低減することができる。
【００６１】
このように、本発明の実施の形態１では、奇数行目の放電セルＣｐ，１〜Ｃｐ，ｍの書込み動作において、前面基板２１側に設けた走査電極ＳＣｐの走査補助電極２２ｂ’とプライミング電極ＰＲ１〜ＰＲｎ−１との間でプライミング放電を発生させる。このプライミング放電の発生により、放電セルＣｐ，１〜Ｃｐ，ｍと放電セルＣｐ＋１，１〜Ｃｐ＋１，ｍとの内部にプライミングを供給することができ、放電遅れが小さく、高速かつ安定した書込み放電を実現することができる。
【００６２】
以上がＰＤＰ１０の電極配列およびＰＤＰ１０を駆動するための駆動波形とそのタイミングである。
【００６３】
以上説明したように、本発明の実施の形態１は、隣り合う走査電極２２−走査電極２２の間に走査電極２２と平行に延びる走査補助電極２２ｂ’を配置し、走査補助電極２２ｂ’を一方の金属母線２２ｂに走査電極接続部２２ｃによって電気的に接続する。さらに、前面板誘電体層２４を挟んで、プライミング電極３６を走査電極２２と平行に形成する。そして、プライミング電極３６を、走査電極２２と平行に配置した２本のプライミング主電極３６ａと、２本のプライミング主電極３６ａの間に走査電極２２と交差する方向に等間隔に配置し２本のプライミング主電極３６ａを互いに電気的に接続する複数のプライミング補助電極３６ｂとによって梯子状に形成している。また、プライミング主電極３６ａと金属母線２２ｂとの間の放電空間が横隔壁３４ｂによって遮られるように、プライミング主電極３６ａと金属母線２２ｂとを配置する。このような構成とすることで、走査補助電極２２ｂ’とプライミング補助電極３６ｂとの間に、プライミング放電セル４１ａの長手方向に沿ってプライミング放電を発生させることができる。
【００６４】
このように、プライミング放電セル４１ａの長手方向、すなわち走査電極２２と平行にプライミング放電を発生させることができるので、従来例のように走査電極と直交する方向にプライミング放電を発生させる場合と比較して、プライミング放電に必要な領域を小さくすることができる。したがって、全放電領域に占めるプライミング放電に必要な領域を小さくして主放電セルの面積を大きくすることができるので、ＰＤＰを高精細化した場合でも、書込み特性に優れ、パネル輝度も向上したＰＤＰを実現することができる。
【００６５】
また、走査補助電極２２ｂ’の放電面をできるだけ大きくとれるように走査電極２２を形成しているので、安定してプライミング放電を発生させることができる。
【００６６】
さらに、プライミング主電極３６ａと金属母線２２ｂとの間に放電が発生しにくい構造であるので、走査補助電極２２ｂ’とプライミング補助電極３６ｂとの間で不要な放電が発生するのを防止でき、安定してプライミング放電を発生させることができる。
【００６７】
また、プライミング放電をプライミング放電セル４１ａの長手方向、すなわち主放電セル４０と平行にも発生させているので、隣接する主放電セル４０へプライミングに必要な粒子以上のプライミング粒子が供給されることを防止して、クロストークを抑制することができる。
【００６８】
図９は、本発明の実施の形態１におけるＰＤＰ１０の走査電極２２およびプライミング電極３６の構成の他の一例を示す平面図であり、図１０は、図９に示したプライミング電極３６と走査補助電極２２ｂ’との関係を示す斜視図である。
【００６９】
本発明の実施の形態１では、プライミング電極３６を梯子状に形成する構成を説明した。しかし、この構成に限定するものではなく、例えば図９および図１０に示すように、走査電極２２と平行に延びた１本のプライミング主電極３６ａを配置し、そのプライミング主電極３６ａから走査補助電極２２ｂ’の方向に突出した複数のプライミング補助電極３６ｂを等間隔に配置して、櫛状にプライミング電極３６を形成する構成としてもよい。このような構成であっても、プライミング放電をプライミング放電セル４１ａの長手方向、すなわち主放電セル４０と平行に発生させることができるので、上述と同様の効果を得ることができる。また、この構成ではプライミング電極３６を構成するプライミング主電極３６ａを１本としているので、さらにプライミング放電セル４１ａを小さくすることも可能である。
【００７０】
なお、プライミング電極３６を梯子状に形成する構成では、仮にプライミング主電極３６ａの一方に断線が発生したとしても、他方のプライミング主電極３６ａが断線していなければ通常の動作を継続することができるので、プライミング主電極３６ａの断線による不良の発生率を低減することもできる。
【００７１】
（実施の形態２）
図１１は、本発明の実施の形態２におけるＰＤＰ１０の走査電極２２およびプライミング電極３６の構成の一例を示す平面図であり、図１２は、図１１に示した同ＰＤＰ１０のプライミング電極３６および走査補助電極２２ｂ’の構成を示す斜視図である。
【００７２】
本発明の実施の形態２では、図１１および図１２に示すように、隣り合う走査電極２２−走査電極２２の一方の走査電極２２を、その金属母線２２ｂから他方の走査電極２２に向かって複数の走査補助電極２２ｂ’を突出させ、それらを等間隔に配置して、櫛状に形成している。そして、走査補助電極２２ｂ’とプライミング補助電極３６ｂとが前面板誘電体層２４を挟んで交差しないように、それぞれを互い違いに配置して形成する。そして、それ以外の構成および駆動動作等は実施の形態１に示した構成と同様である。
【００７３】
本発明の実施の形態２においては、走査電極２２をこのように構成することで、走査電極２２とプライミング電極３６とが前面板誘電体層２４を挟んで対向する領域をできるだけ少なくし、走査電極２２とプライミング電極３６との間に発生する寄生容量を低減している。
【００７４】
このような構成としても、プライミング放電をプライミング放電セル４１ａの長手方向、すなわち主放電セル４０と平行に発生させることができるので、実施の形態１と同様の効果を得ることができる。
【００７５】
図１３は、本発明の実施の形態２におけるＰＤＰ１０の走査電極２２およびプライミング電極３６の構成の他の一例を示す平面図である。なお、本発明の実施の形態２においては、図１３に示すように、走査補助電極２２ｂ’を、プライミング電極３６と前面板誘電体層２４を挟んで対向する領域とそれ以外の領域とで幅が異なる形状にして形成してもよい。こうすることで、走査電極２２とプライミング電極３６とが前面板誘電体層２４を挟んで対向する領域をさらに少なくすることができ、走査電極２２とプライミング電極３６との間に発生する寄生容量をさらに低減することができる。
【００７６】
図１４は、本発明の実施の形態２におけるＰＤＰ１０の走査電極２２およびプライミング電極３６の構成の他の一例を示す平面図である。さらに、本発明の実施の形態２においては、図１４に示すように、走査補助電極２２ｂ’を、隣り合うプライミング補助電極３６ｂとプライミング補助電極３６ｂとの間に挟まれる領域に１つおきに設ける構成としてもよい。このような構成では、走査電極２２とプライミング電極３６との間に発生する寄生容量をさらに低減することができ、かつ上述と同様にプライミング放電をプライミング放電セル４１ａの長手方向に発生させることができる。
【００７７】
なお、図１１〜図１４では、プライミング電極３６を櫛状の形状で示しているが、いうまでもなく梯子状の形状であってもよい。
【００７８】
（実施の形態３）
図１５は本発明の実施の形態３におけるＰＤＰ１０の構造を示す分解斜視図であり、図１６は同ＰＤＰ１０の断面図である。
【００７９】
本発明の実施の形態３では、図１５および図１６に示すように、背面基板３１上のプライミング放電セル４１ａにおいて、背面板誘電体層３３上を２次電子放出係数の大なる背面板側保護層３７で覆う構成としている。そして、それ以外の構成および駆動動作等は実施の形態１に示した構成と同様である。このとき、背面板側保護層３７としては耐スパッタ性に優れ、２次電子放出係数の大きい材料が望ましい。
【００８０】
仮に、背面板側保護層３７を２次電子放出係数の小さい材料で形成するとすれば、プライミング放電セル４１ａにおいて、初期化放電時に十分な２次電子が発生せず、初期化放電が不安定になる。初期化放電が不安定であれば、プライミング放電に必要な壁電圧が十分に蓄積されず、プライミング放電が安定して発生できなくなる。しかし、背面板側保護層３７を２次電子放出係数の大きい材料で形成することで、プライミング放電セル４１ａにおける初期化放電を安定に発生させることができ、プライミング放電を安定して発生させることができる。
【００８１】
この背面板側保護層３７には、アルカリ金属の酸化物（例えば、Ｃｓ２Ｏ等）、アルカリ土類金属の酸化物（例えば、ＭｇＯ、ＣａＯ、ＳｒＯ、ＢａＯ等）、希土類酸化物（例えば、Ｙ２Ｏ３、Ｌａ２Ｏ３、ＣｅＯ２、Ｅｒ２Ｏ３、Ｌｕ２Ｏ３）または弗化物（例えば、ＬｉＦ、ＣａＦ２、ＭｇＦ２等）、の少なくともいずれかを含む材料の使用が考えられる。本発明の実施の形態３では、ＡＣ型ＰＤＰの材料として使用実績があり、ネオン（Ｎｅ）およびキセノン（Ｘｅ）ガスを封入した場合に２次電子放出係数が大きく耐久性に優れたＭｇＯを主成分とする材料によって背面板側保護層３７を形成している。したがって、背面板側保護層３７は、プライミング電極３６と走査電極２２との間に電圧を印加した場合に、背面板側保護層３７からプライミング放電セル４１ａ内に効果的に２次電子を放出する機能を有している。この結果、本発明の実施の形態３では、プライミング放電セル４１ａの長手方向に連続して形成された背面板側保護層３７からプライミング放電セル４１ａ内に均一に２次電子を供給することができる。したがって、細長い形状を有するプライミング放電セル４１ａにおけるプライミング放電のばらつきを抑制し、各主放電セル４０に対して均一なプライミング放電を発生させることができる。また、プライミング放電の発生をむらなく促進し、プライミング放電に印加すべき電圧を低減することができる。
【００８２】
また、本発明の実施の形態３においては、背面板側保護層３７を、例えば、２次電子放出係数の大なる、ペロブスカイト型構造あるいはＫ２ＮｉＦ４型構造をもつ導電性酸化物を材料とする構成としてもよい。導電性酸化物は、（Ｌａ，Ｍ１）Ｍ２Ｏ３（ただし、Ｍ１はＢａまたはＳｒであり、Ｍ２はＣｏ、Ｎｉ、Ｆｅ、Ｍｎの中から選ばれるものである）であらわされるペロブスカイト型構造をもち、（Ｌａ，Ｍ１）／Ｍ２の比率を１よりも大きくしたもの、あるいは（Ｌａ，Ｍ１）２Ｍ３Ｏ４（ただし、Ｍ１はＢａまたはＳｒであり、Ｍ３はＣｕ、またはＮｉである）であらわされるＫ２ＮｉＦ４型構造をもち、（Ｌａ，Ｍ１）／Ｍ３の比率を１よりも大きくしたものである。
【００８３】
上述したペロブスカイト型構造あるいはＫ２ＮｉＦ４型構造をもつ導電性酸化物は、２次電子放出係数が大きく耐スパッタ性に優れた材料であるが、導電性を有する。しかし、実施の形態３におけるＰＤＰ１０は、絶縁体としての性質を有する背面板誘電体層３３によってデータ電極３２が覆われているので、このような導電性を有する材料を用いることも可能である。
【００８４】
実施の形態３においては、この導電性酸化物にペロブスカイト型構造の酸化物の代表的な組成である（Ｌａ０．５Ｓｒ０．５）ＣｏＯ３（コバルタイトと呼ぶ）を用いた。材料は共沈法を用いて作成した。出発原料として、Ｌａ、Ｓｒ、Ｃｏの各硝酸溶液を所定の元素比率になるように混合し、それぞれの溶液を蓚酸とエタノールの混合液に滴下し、それぞれの蓚酸塩の沈澱物をつくる。この沈澱物を７０℃で、乾燥し、乾燥した固形物を混合し、空気中雰囲気で、５００℃で、３時間加熱し、不要な蓚酸塩を熱分解し、Ｌａ、Ｓｒ、Ｃｏの酸化物をつくる。そして、この酸化物を５００℃以上の温度で、３００ｃｃ／分導入した酸素気流中において、１３００℃で、５時間焼成することによりペロブスカイト型構造を得る。焼成後の粉末は粒子が結合して固まっているので、乳鉢やボールミル等により、数μｍ以下に粉砕する。こうして作成した粉末と、低融点ガラス粉末、および有機溶媒を適当な粘度になるように調整し混合して印刷用のペーストを作成した。そして、プライミング放電セル４１ａにおいて、背面板誘電体層３３上を覆うように、スクリーン印刷法にて導電性酸化物によって背面板側保護層３７を形成した。
【００８５】
ここで、上述の導電性酸化物の組成として、ペロブスカイト型構造の場合には（Ｌａ，Ｍ１）の元素を、Ｋ２ＮｉＦ４型構造の場合には（Ｌａ，Ｍ１）２の元素を本来の化学量論的な組成に比べ過剰としている。この理由は、これら酸化物が仮に放電によってスパッタされたとしてもスパッタ膜が電極間を短絡するといった問題を発生させないためである。すなわち、これら過剰な元素は焼成工程中に酸化されそれぞれの元素の酸化物（Ｌａ２Ｏ３，ＢａＯ，ＳｒＯ等）となって結晶中に混入する。これらはもともと電気抵抗が高いので、放電中にスパッタされても低抵抗の膜をつくることはない。これに対して、Ｍ２あるいはＭ３の元素が過剰になるとＣｏ、Ｎｉ、Ｆｅ、Ｍｎ、Ｃｕ等の酸化物が形成されるが、これらの電気抵抗は低くまた還元されやすい性質ももつので、これらがスパッタされた場合電極間を短絡するおそれがある。したがって、導電性酸化物としては、化学量論的な組成とするのではなく、あらかじめ安全側にシフトした組成としておくことにより、信頼性の高いＰＤＰを得ることができる。
【００８６】
このように、本発明の実施の形態３では、背面基板３１のプライミング放電セル４１ａに２次電子放出係数の大なる背面板側保護層３７を形成している。したがって、走査補助電極２２ｂ’から放出された電子が背面基板３１側の背面板側保護層３７に当たると、背面板側保護層３７が２次電子放出係数の大きな材料であるため、背面板側保護層３７から２次電子を放出させプライミング放電セル４１ａ内に２次電子を供給してプライミング放電の発生を均一化したうえ、放電を促進することができる。したがって、従来同様の動作マージンを確保しつつ、放電電圧を低減することにより放電の強度を小さくし、例えば、クロストーク等のプライミング放電による他への影響を抑制することができる。このことにより、高精細度のＰＤＰにおいても、書込み特性をより安定化させることができる。さらに、プライミング放電セル４１ａにおける絶縁耐圧性能を向上させることができる。
【００８７】
なお、本発明の実施の形態３における図１５および図１６では維持電極側隙間部４１ｂには背面板側保護層３７を形成しない例を示しているが、プライミング放電セル４１ａと同様に維持電極側隙間部４１ｂにも背面板側保護層３７を設ける構成としてもよい。
【００８８】
図１７は、本発明の各実施の形態におけるプライミング電極３６および隔壁３４の構成の一例を示す平面図である。本発明の実施の形態においては、図１７に示すように、プライミング補助電極３６ｂを縦隔壁３４ａと同じ配置間隔にし、プライミング補助電極３６ｂが縦隔壁３４ａと同一直線上に並ぶようにプライミング補助電極３６ｂを配置してプライミング電極３６を形成してもよい。このような構成とすることで、主放電セル４０に隣接した領域でプライミング放電を発生させることができるので、より確実にプライミング粒子を主放電セル４０に供給することができ、安定して書込み放電を発生させることができる。
【００８９】
図１８は、本発明の各実施の形態におけるプライミング電極３６および隔壁３４の構成の他の一例を示す平面図である。本発明の実施の形態においては、図１８に示すように、プライミング補助電極３６ｂから延長される直線が、主放電セル４０の中央を通るようにプライミング補助電極３６ｂを配置し、隣り合うプライミング補助電極３６ｂによって挟まれる領域と主放電セル４０とが互いにずれて隣接するようにプライミング電極３６を形成してもよい。このような構成とすることで、主放電セル４０を区画する縦隔壁３４ａに隣接した位置でプライミング放電を発生させることができるので、主放電セル４０に飛散するプライミング粒子を制限することができ、プライミングに必要な粒子以上のプライミング粒子が供給されることを防止して、クロストークをさらに抑制することができる。
【００９０】
なお、本発明の実施の形態では、背面板６０に隔壁３４として縦隔壁３４ａと横隔壁３４ｂとを設けて略矩形の主放電セル４０を形成するとともに、隙間部４１は走査電極２２および維持電極２３と並行する空間とする例を説明しているが、本発明はこのような放電セル形状に限定するものではない。例えば、隔壁形状として蛇行して放電セルを形成している場合等でも適用可能であり、同様の効果を得ることができる。
【００９１】
なお、上述の説明の中で、プライミング補助電極３６ｂから延長される直線が、主放電セル４０の中央を通るようにプライミング補助電極３６ｂを配置する構成を説明したが、この「中央」は実質的な「中央」を意味しており、本発明の効果を得ることができる範囲で多少の差は許容される。
【産業上の利用可能性】
【００９２】
本発明に係るＰＤＰは、プライミング放電によって書込み放電を安定して発生させることができ、さらにプライミング放電を小さな空間で確実に行えるため、ＰＤＰが高精細化した場合でも書込み時の放電遅れが小さく書込み特性が良好なＰＤＰを提供することができるので、壁掛けテレビや大型モニター等のディスプレイ装置として有用である。
【図面の簡単な説明】
【００９３】
【図１】本発明の実施の形態１におけるＰＤＰの構造を示す分解斜視図
【図２】同ＰＤＰの走査電極およびプライミング電極の構成の一例を示す平面図
【図３】同ＰＤＰの断面図
【図４】同ＰＤＰの断面のプライミング放電セル部分の拡大図
【図５】同ＰＤＰの図４のＣ−Ｃ線に沿う断面図
【図６】同ＰＤＰのプライミング電極と走査補助電極との関係を示す斜視図
【図７】同ＰＤＰの電極配列図
【図８】同ＰＤＰの駆動波形図
【図９】同ＰＤＰの走査電極およびプライミング電極の構成の他の一例を示す平面図
【図１０】図９に示したプライミング電極と走査補助電極との関係を示す斜視図
【図１１】本発明の実施の形態２におけるＰＤＰの走査電極およびプライミング電極の構成の一例を示す平面図
【図１２】同ＰＤＰのプライミング電極および走査補助電極の構成を示す斜視図
【図１３】同ＰＤＰの走査電極およびプライミング電極の構成の他の一例を示す平面図
【図１４】同ＰＤＰの走査電極およびプライミング電極の構成の他の一例を示す平面図
【図１５】本発明の実施の形態３におけるＰＤＰの構造を示す分解斜視図
【図１６】同ＰＤＰの断面図
【図１７】本発明の各実施の形態におけるプライミング電極および隔壁の構成の一例を示す平面図
【図１８】同プライミング電極および隔壁の構成の他の一例を示す平面図
【符号の説明】
【００９４】
１０    ＰＤＰ
２１    （ガラス製の）前面基板
２２    走査電極
２２ａ，２３ａ    透明電極
２２ｂ，２３ｂ    金属母線
２２ｂ’    走査補助電極
２３    維持電極
２４    前面板誘電体層
２５    前面板側保護層
２８    光吸収層
３１    （ガラス製の）背面基板
３２    データ電極
３３    背面板誘電体層
３４    隔壁
３４ａ    縦隔壁
３４ｂ    横隔壁
３５    蛍光体層
３６    プライミング電極
３６ａ    プライミング主電極
３６ｂ    プライミング補助電極
３７    背面板側保護層
４０    主放電セル
４１    隙間部
４１ａ    走査電極側隙間部（プライミング放電セル）
４１ｂ    維持電極側隙間部
５０    前面板
６０    背面板
【図１】
2006059631.tif 000003
【図２】
2006059631.tif 000004
【図３】
2006059631.tif 000005
【図４】
2006059631.tif 000006
【図５】
2006059631.tif 000007
【図６】
2006059631.tif 000008
【図７】
2006059631.tif 000009
【図８】
2006059631.tif 000010
【図９】
2006059631.tif 000011
【図１０】
2006059631.tif 000012
【図１１】
2006059631.tif 000013
【図１２】
2006059631.tif 000014
【図１３】
2006059631.tif 000015
【図１４】
2006059631.tif 000016
【図１５】
2006059631.tif 000017
【図１６】
2006059631.tif 000018
【図１７】
2006059631.tif 000019
【図１８】
2006059631.tif 000020